(57)【要約】      （修正有）【課題】配給側の広告配信に関する手続きを容易にする配信装置、配信方法及び配信プログラムを提供する。【解決手段】配信装置は、取得部と、配信部とを備える。取得部は、第１コンテンツを提供する施設で第１コンテンツとともに提供される第２コンテンツの枠に関する情報を取得する。配信部は、施設以外の媒体に提供するための他のコンテンツを枠で提供される第２コンテンツとして施設に配信する。取得部は、枠の販売状況に関する情報を取得する。配信部は、取得部によって取得された販売状況に関する情報に基づいて他のコンテンツを施設に配信する。【選択図】図１
2015220511.tif 000002
【特許請求の範囲】
【請求項１】
第１コンテンツを提供する施設で前記第１コンテンツとともに提供される第２コンテンツの枠に関する情報を取得する取得部と、
前記施設以外の媒体に提供するための他のコンテンツを前記枠で提供される第２コンテンツとして前記施設に配信する配信部と、
を備えたことを特徴とする配信装置。
【請求項２】
前記取得部は、
前記枠に関する情報として、前記枠の販売状況に関する情報を取得し、
前記配信部は、
前記取得部によって取得された前記販売状況に関する情報に基づいて前記他のコンテンツを前記施設に配信する、
ことを特徴とする請求項１に記載の配信装置。
【請求項３】
前記配信部は、
前記販売状況に関する情報に基づいて、購入者が決定されていない枠に提供される第２コンテンツとして前記他のコンテンツを前記施設に配信する、
ことを特徴とする請求項２に記載の配信装置。
【請求項４】
前記配信部は、
前記施設からの前記枠で前記他のコンテンツを提供させる旨の要望に応じて、当該他のコンテンツを前記施設に配信する、
ことを特徴とする請求項１〜３のいずれか一つに記載の配信装置。
【請求項５】
前記配信部は、
前記施設以外の媒体であるウェブサイト向けに提供される前記他のコンテンツを配信する、
ことを特徴とする請求項１〜４のいずれか一つに記載の配信装置。
【請求項６】
前記配信部は、
前記ウェブサイト向けに提供される前記他のコンテンツのウェブサイトにおける掲載状況に基づいて、当該他のコンテンツを配信する、
ことを特徴とする請求項５に記載の配信装置。
【請求項７】
前記ウェブサイト向けに提供される前記他のコンテンツが前記枠で提供された時間、又は、視聴された人数に基づいて、当該他のコンテンツの提供料金を算出する算出部、
をさらに備えたことを特徴とする請求項５又は６に記載の配信装置。
【請求項８】
前記算出部は、
前記ウェブサイト向けに提供される前記他のコンテンツが前記枠で提供された時間、又は、視聴された人数に基づいて、当該他のコンテンツが所定の回数だけウェブサイトに掲載されたものとして、当該他のコンテンツの提供料金を算出する、
ことを特徴とする請求項７に記載の配信装置。
【請求項９】
前記配信部は、
前記他のコンテンツであって、前記枠で提供されることに当該他のコンテンツの提供主が同意した当該他のコンテンツを前記施設に配信する、
ことを特徴とする請求項１〜８のいずれか一つに記載の配信装置。
【請求項１０】
前記取得部が取得する前記枠に関する情報と前記他のコンテンツの属性とに基づいて、前記枠で提供される当該他のコンテンツを抽出する抽出部をさらに備え、
前記配信部は、
前記抽出部が抽出する当該他のコンテンツを前記施設に配信する、
ことを特徴とする請求項１〜９のいずれか一つに記載の配信装置。
【請求項１１】
前記抽出部は、
前記枠に関する情報として、前記枠に係る第１コンテンツのタイトル、ジャンル、及び、出演者、又は、第１コンテンツの制作者、監督、配給会社、及び、制作者の国籍の少なくとも１つに基づいて、前記他のコンテンツを抽出する、
ことを特徴とする請求項１０に記載の配信装置。
【請求項１２】
前記抽出部は、
前記枠に関する情報として、前記他のコンテンツが提供される枠の前後の枠において提供される前記第２コンテンツの内容、又は、提供主に関する情報に基づいて、前記他のコンテンツを抽出する、
ことを特徴とする請求項１０又は１１に記載の配信装置。
【請求項１３】
前記抽出部は、
前記枠に関する情報として、前記枠に係る前記施設の利用者の属性、又は、予測される動員数に基づいて、前記他のコンテンツを抽出する、
ことを特徴とする請求項１０〜１２のいずれか一つに記載の配信装置。
【請求項１４】
前記抽出部は、
前記他のコンテンツが画像で構成されている場合に、当該他のコンテンツの画質が前記施設で提供可能な水準である当該他のコンテンツを抽出する、
ことを特徴とする請求項１０〜１３のいずれか一つに記載の配信装置。
【請求項１５】
コンピュータが実行する配信方法であって、
第１コンテンツを提供する施設で前記第１コンテンツとともに提供される第２コンテンツの枠に関する情報を取得する取得工程と、
前記施設以外の媒体に提供するための他のコンテンツを前記枠で提供される第２コンテンツとして前記施設に配信する配信工程と、
を含んだことを特徴とする配信方法。
【請求項１６】
第１コンテンツを提供する施設で前記第１コンテンツとともに提供される第２コンテンツの枠に関する情報を取得する取得手順と、
前記施設以外の媒体に提供するための他のコンテンツを前記枠で提供される第２コンテンツとして前記施設に配信する配信手順と、
をコンピュータに実行させることを特徴とする配信プログラム。
【発明の詳細な説明】
【技術分野】
【０００１】
本発明は、配信装置、配信方法及び配信プログラムに関する。
【背景技術】
【０００２】
現在、施設で提供されるコンテンツには、そのコンテンツの本編前に組み込まれる広告が上映される広告枠が設けられていることがある。例えば、映画館においては、上映される映画の本編前に数分間の広告枠が設定される。
【０００３】
このような広告配信に関する技術として、上映場所の視聴者に対して動画及びプロモーション用コンテンツをスケジューリングする技術が知られている。具体的には、この技術では、プロモーション用コンテンツを提示するタイムスロットに広告プロバイダから入札を求め、受信した入札に応じて広告プロバイダからの広告をタイムスロットに関連付け、その広告プロバイダから電子的に広告を取得する。また、上映者は、最も高い入札者に対して利用可能な広告又はプロモーション時間を競売することができる。
【先行技術文献】
【特許文献】
【０００４】
【特許文献１】特表２００７−５０５３９３号公報
【発明の概要】
【発明が解決しようとする課題】
【０００５】
しかしながら、上記の従来技術では、配給側の広告配信に関する手続きを容易にすることができるとは限らない。具体的には、上記の従来技術では、タイムスロットに対して広告主側から入札を受け付ける。また、任意のタイムスロットに広告プロバイダから入札がなされない場合、配給側は、改めて条件を提示して広告プロバイダを募らねばならない。このように、配給側にとっては、広告枠への広告コンテンツの割り当てなどの広告配信に関する手続きが煩雑となる。
【０００６】
本願は、上記に鑑みてなされたものであって、配給側の広告配信に関する手続きを容易にすることができる配信装置、配信方法及び配信プログラムを提供することを目的とする。
【課題を解決するための手段】
【０００７】
本願に係る配信装置は、第１コンテンツを提供する施設で前記第１コンテンツとともに提供される第２コンテンツの枠に関する情報を取得する取得部と、前記施設以外の媒体に提供するための他のコンテンツを前記枠で提供される第２コンテンツとして前記施設に配信する配信部と、を備えたことを特徴とする。
【発明の効果】
【０００８】
実施形態の一態様によれば、配給側の広告配信に関する手続きを容易にすることができる配信装置、配信方法及び配信プログラムを提供することができるという効果を奏する。
【図面の簡単な説明】
【０００９】
【図１】図１は、実施形態に係る配信処理の一例を示す図である。
【図２】図２は、実施形態に係る配信処理システムの構成例を示す図である。
【図３】図３は、実施形態に係る広告装置の構成例を示す図である。
【図４】図４は、実施形態に係る広告コンテンツ記憶部の一例を示す図である。
【図５】図５は、実施形態に係る広告枠テーブルの一例を示す図である。
【図６】図６は、実施形態に係る本編テーブルの一例を示す図である。
【図７】図７は、実施形態に係る広告装置による配信処理の手順を示すフローチャートである。
【図８】図８は、変形例に係る広告コンテンツ記憶部の一例を示す図である。
【図９】図９は、変形例に係る配信処理システムの構成例を示す図である。
【図１０】図１０は、広告装置の機能を実現するコンピュータの一例を示すハードウェア構成図である。
【発明を実施するための形態】
【００１０】
以下に、本願に係る配信装置、配信方法及び配信プログラムを実施するための形態（以下、「実施形態」と呼ぶ）について図面を参照しつつ詳細に説明する。なお、この実施形態により本願に係る配信装置、配信方法及び配信プログラムが限定されるものではない。また、以下の各実施形態において同一の部位には同一の符号を付し、重複する説明は省略される。
【００１１】
〔１．配信処理〕
まず、図１を用いて、実施形態に係る配信処理の一例について説明する。図１は、実施形態に係る配信処理の一例を示す図である。図１では、本願に係る配信装置に対応する広告装置１００によって、第１コンテンツを提供する施設で第１コンテンツとともに提供される第２コンテンツの枠に、当該施設以外の媒体に提供するための他のコンテンツを配信する配信処理が行われる例を示す。なお、以下では、施設として映画館を例に挙げ、施設で提供される第１コンテンツとして映画を例に挙げ、第１コンテンツとともに提供される第２コンテンツとして映画館用広告コンテンツを例に挙げ、他のコンテンツとしてウェブサイト用広告コンテンツを例に挙げて説明する。
【００１２】
図１に示す例において、広告装置１００は、ウェブサイト用広告コンテンツを管理するウェブサーバである。広告装置１００は、例えば、所定の情報処理端末装置にインストールされたブラウザからの命令に従い、ウェブサイト用広告コンテンツを情報処理端末装置に配信する。
【００１３】
また、図１に示すように、映画館には、映画館装置２０が備えられる。映画館装置２０は、映画館における映画の編成に係る情報等を処理するために映画館の管理者によって操作される情報処理装置である。また、映画館で上映される映画には、本編の前に映画館用広告コンテンツが上映されるための数分間の時間が設けられる。
【００１４】
そして、映画館用広告コンテンツが上映されるための数分間の時間は所定の時間で分割され、映画館用広告コンテンツの提供のための枠が設けられる。例えば、かかる枠は、３０秒単位を１枠として設けられる。以下、このような映画館用広告コンテンツの提供のための枠を「広告枠」と表記する。図１に示す例では、「２０１４年５月１０日９：００」から上映される映画であって、本編タイトル「Ｍ１」の映画には、広告枠Ｃ１１１、Ｃ１１２、Ｃ１１３、Ｃ１１４及びＣ１１５が設けられていることを示す。映画館側は、広告枠で映画館用広告コンテンツを提供させる権利を広告主に販売することで広告収益を得る。なお、以下では、「広告枠」といった表記は、かかる広告枠で広告コンテンツを提供させるための権利についての概念を含む場合がある。例えば、所定の広告枠で広告コンテンツを提供させるための権利を広告主に販売することを、「広告枠を販売する」と表記することがある。
【００１５】
以下に、広告装置１００が行う配信処理について流れに沿って説明する。まず、広告装置１００は、ウェブサイトで広告コンテンツを提供させる広告主からウェブサイト用広告コンテンツの入稿を受け付ける（ステップＳ１０）。例えば、広告装置１００は、広告主が操作する広告主端末１０からウェブサイト用広告コンテンツのデータを受信することにより、ウェブサイト用広告コンテンツの入稿を受け付ける。
【００１６】
また、広告装置１００は、映画館装置２０から映画館における広告枠の情報を取得する（ステップＳ１１）。例えば、映画館装置２０は、所定の時点で映画館において広告枠が売れ残っている場合に、広告装置１００に広告配信に関するリクエストを送信する。売れ残っている広告枠とは、かかる広告枠で映画館用広告コンテンツを提供させる広告主が決定していない広告枠（以下、「空き広告枠」と表記する）のことをいう。図１においては、広告枠Ｃ１１１が空き広告枠であるものとする。また、広告配信に関するリクエストとは、例えば、空き広告枠Ｃ１１１に対して所定の広告コンテンツの配信を希望する旨を意味する。すなわち、映画館装置２０は、かかるリクエストによって、空き広告枠Ｃ１１１を映画館以外の媒体に提供するための他のコンテンツに開放する旨を示す。そして、広告装置１００は、かかるリクエストに応答して、広告枠の販売状況に関する情報を取得する。
【００１７】
なお、広告装置１００は、広告枠に関する情報として、映画館が所在する地域や、映画館の観客収容数や、映画館が備えるスクリーン数や、スクリーン毎の座席数など、施設としての映画館の情報についても適宜取得する。同様に、広告装置１００は、映画に関する情報として、例えば、映画の制作者や、映画の出演者や、映画が制作された国名などに関する情報についても適宜取得する。
【００１８】
続いて、広告装置１００は、保持するウェブサイト用広告コンテンツのうち、空き広告枠Ｃ１１１への配信に適するウェブサイト用広告コンテンツを抽出する（ステップＳ１２）。具体的には、広告装置１００は、空き広告枠Ｃ１１１とともに映画館で上映される本編タイトルＭ１の映画に関する情報や、空き広告枠Ｃ１１１とともに設けられている広告枠Ｃ１１２〜Ｃ１１５で提供される映画館用広告コンテンツの情報や、空き広告枠Ｃ１１１で提供される広告コンテンツを視聴すると想定される客層の情報などを参照し、空き広告枠Ｃ１１１への配信に適するウェブサイト用広告コンテンツを抽出する。また、広告装置１００は、配信しようとするウェブサイト用広告コンテンツの属性についても判定する。ここで、ウェブサイト用広告コンテンツの属性とは、かかるウェブサイト用広告コンテンツが映画館で提供されることについて広告主から同意を受けているか、ウェブサイト用広告コンテンツを構成する素材が動画像であるか、ウェブサイト用広告コンテンツを構成する画質が映画館での提供に耐えうるものか、などウェブサイト用広告コンテンツが備える仕様や設定のことをいう。
【００１９】
そして、広告装置１００は、抽出されたウェブサイト用広告コンテンツを映画館装置２０に配信する（ステップＳ１３）。そして、映画館装置２０は、配信されたウェブサイト用広告コンテンツを空き広告枠Ｃ１１１で観客に提供するよう処理する。
【００２０】
このように、実施形態に係る広告装置１００は、映画館から広告枠に関する情報を取得し、映画館以外の媒体に提供するための他のコンテンツ（例えば、ウェブサイト用広告コンテンツ）を広告枠で提供される映画館用広告コンテンツとして映画館に配信する。
【００２１】
これにより、実施形態に係る広告装置１００は、配給側（例えば、映画館側）の広告配信に関する手続きを容易にすることができる。具体的には、実施形態に係る広告装置１００によれば、広告主が決定していない広告枠について、映画館以外の媒体に提供するための他のコンテンツを提供する広告主に開放される。このため、映画館側は、広告主が決定していない広告枠について改めて条件を提示して広告主を募ることを要しない。さらに、実施形態に係る広告装置１００は、空き広告枠に対して、映画館以外の媒体に提供するための他のコンテンツのうち、映画館での提供に適切な広告コンテンツを配信する。このため、映画館側は、広告枠の広告コンテンツの編成について煩雑な作業を行うことを要せずに、映画館で広告コンテンツを提供させることができる。すなわち、実施形態に係る広告装置１００によれば、映画館側は、広告配信に関する手続きを容易にすることができる。
【００２２】
また、実施形態に係る広告装置１００は、広告主の特段の手間を要することなく、映画館以外の媒体に提供するための他のコンテンツを個々の映画館で提供させる。すなわち、広告主は、映画館以外の媒体に提供するための他のコンテンツを映画館のために入稿し直すという煩雑な作業を行うことを要せずに、映画館で他のコンテンツを提供させることができる。この場合、広告主は、映画館で広告配信の環境を得ることができるので、広告コンテンツの宣伝内容を広く需要者に周知させることができる。このため、実施形態に係る広告装置１００によれば、広告主は、他の広告コンテンツの広告効果を高めることができるという利点がある。
【００２３】
なお、上記の配信処理において、実施形態に係る広告装置１００が映画の情報等に基づき適切な他のコンテンツを抽出する例を示した。しかし、広告装置１００は、上記抽出処理を行わず、例えばランダムに他のコンテンツを映画館に配信してもよい。
【００２４】
〔２．配信処理システムの構成〕
次に、図２を用いて、実施形態に係る配信処理システム１の構成について説明する。図２は、実施形態に係る配信処理システム１の構成例を示す図である。図２に示すように、配信処理システム１には、広告主端末１０と、映画館装置２０と、広告装置１００とが含まれる。広告主端末１０、映画館装置２０、及び広告装置１００は、ネットワークＮを介して、有線又は無線により通信可能に接続される。なお、図２に示した配信処理システム１には、複数台の広告主端末１０や、複数台の映画館装置２０が含まれてもよい。
【００２５】
広告主端末１０は、広告コンテンツを提供させることを所望する広告主によって利用される情報処理装置である。具体的には、広告主端末１０は、広告主による操作に従って、ウェブサイト用広告コンテンツを広告装置１００に入稿したり、ウェブサイト用広告コンテンツを映画館で提供させることに同意する旨を広告装置１００に送信したりする。
【００２６】
なお、広告主は、広告主端末１０を用いて、ウェブサイト用広告コンテンツを広告装置１００に入稿せずに、かかる入稿を代理店に依頼する場合もある。この場合、かかる入稿を広告装置１００に行うのは代理店となる。以下では、「広告主」といった表記は、広告主だけでなく代理店を含む概念であり、「広告主端末」といった表記は、広告主端末だけでなく代理店によって利用される代理店装置を含む概念であるものとする。
【００２７】
映画館装置２０は、映画館の管理者によって利用される情報処理装置である。かかる映画館装置２０は、例えば、広告枠に関する情報を広告装置１００に送信したり、広告装置１００から配信されるウェブサイト用広告コンテンツを受信したりする。また、映画館装置２０は、映画の上映に係る編成情報の管理や、映画館用及びウェブサイト用広告コンテンツを映画館で提供するための処理などを行う。
【００２８】
広告主端末１０や、映画館装置２０は、例えば、デスクトップ型ＰＣ（Personal  Computer）や、ノート型ＰＣや、タブレット型端末や、携帯電話機、ＰＤＡ（Personal  Digital  Assistant）等により実現される。以下では、「広告主」といった表記は、広告主によって操作される「広告主端末１０」による処理等も含むものとする。同様に、「映画館」といった表記は、映画館の管理者によって操作される「映画館装置２０」による処理等も含むものとする。例えば、「広告主によって指定された」といった表記は、「広告主端末１０によって指定された」という概念を含みうるものとする。
【００２９】
広告装置１００は、上述のように、映画館装置２０から送信される広告枠に関する情報に基づいて、ウェブサイト用広告コンテンツを映画館で提供させる映画館用広告コンテンツとして映画館に配信するウェブサーバである。
【００３０】
〔３．広告装置の構成〕
次に、図３を用いて、実施形態に係る広告装置１００の構成について説明する。図３は、実施形態に係る広告装置１００の構成例を示す図である。図３に示すように、広告装置１００は、通信部１１０と、広告コンテンツ記憶部１２１と、映画館情報記憶部１２２と、制御部１３０とを有する。なお、広告装置１００は、広告装置１００を利用する管理者等から各種操作を受け付ける入力部（例えば、キーボードやマウス等）や、各種情報を表示するための表示部（例えば、液晶ディスプレイ等）を有してもよい。
【００３１】
〔３−１．通信部〕
通信部１１０は、例えば、ＮＩＣ（Network  Interface  Card）等によって実現される。かかる通信部１１０は、ネットワークＮと有線又は無線で接続され、ネットワークＮを介して、広告主端末１０や映画館装置２０との間で情報の送受信を行う。
【００３２】
〔３−２．記憶部〕
広告コンテンツ記憶部１２１及び映画館情報記憶部１２２は、例えば、ＲＡＭ（Random  Access  Memory)、フラッシュメモリ（Flash  Memory）等の半導体メモリ素子、または、ハードディスク、光ディスク等の記憶装置によって実現される。
【００３３】
〔３−３．広告コンテンツ記憶部〕
広告コンテンツ記憶部１２１は、広告主から入稿されたウェブサイト用広告コンテンツに関する情報を記憶する。ここで、図４に、実施形態に係る広告コンテンツ記憶部１２１の一例を示す。図４は、広告コンテンツ記憶部１２１の一例を示す図である。図４に示した例では、広告コンテンツ記憶部１２１は、「広告主ＩＤ」、「広告コンテンツＩＤ」、「広告タイプ」、「配信時間」、「宣伝ジャンル」、「配信許可」、「画質条件」などといった項目を有する。
【００３４】
「広告主ＩＤ」は、広告主又は広告主端末１０を識別するための識別情報を示す。また、「広告コンテンツＩＤ」は、ウェブサイト用広告コンテンツを識別するための識別情報を示す。ここで、実際に映画館に配信されるウェブサイト用広告コンテンツのデータは、広告装置１００の広告コンテンツ記憶部１２１に記憶されてもよいし、広告装置１００とは別に備えられたウェブサイト用広告コンテンツを記憶するストレージサーバに記憶されてもよい。この場合、広告装置１００は、広告コンテンツ記憶部１２１に記憶された広告コンテンツＩＤに基づいて、外部のストレージサーバに記憶されたウェブサイト用広告コンテンツを特定する。そして、広告装置１００は、ストレージサーバに対して、特定されたウェブサイト用広告コンテンツを映画館に対して配信するよう制御する。
【００３５】
「広告タイプ」とは、ウェブサイト用広告コンテンツの広告タイプを示す。具体的には、広告タイプとは、ウェブサイト用広告コンテンツがビデオ広告であるか、静止画であるかといった広告の種類の区別を示す。例えば、ビデオ広告とは、ウェブページにおけるウェブサイト用広告コンテンツ表示用のフレーム内で、動画像として提供される広告コンテンツを意味する。また、静止画とは、ウェブページにおいて一枚絵として表示される広告コンテンツを意味する。
【００３６】
「配信時間」は、ウェブサイト用広告コンテンツの時間長を示す。図４の例では、配信時間の単位は秒とする。例えば、広告コンテンツＩＤがＡ１１であるウェブサイト用広告コンテンツは、「３０秒」の時間長を持つコンテンツであることを示す。なお、ウェブサイト用広告コンテンツが静止画などで構成されており時間長を持たないコンテンツである場合は、配信時間の項目に情報は記載されなくてもよい。
【００３７】
「宣伝ジャンル」は、ウェブサイト用広告コンテンツの宣伝する内容について、いずれのジャンルに属するかの情報を示す。図４の例では、宣伝ジャンルには、「玩具」、「美容」、「遊技場」などのジャンルがあることを示している。
【００３８】
「配信許可」は、ウェブサイト用広告コンテンツについて映画館で提供させることに広告主が同意しているか否かを示す。図４の例では、広告主が同意しているウェブサイト用広告コンテンツについては「Ｙ」が、同意していない場合には「Ｎ」が設定されることを示している。配信許可の項目が「Ｎ」であるウェブサイト用広告コンテンツは、映画館で提供されることはないものとする。
【００３９】
「画質条件」は、ウェブサイト用広告コンテンツを構成する画質が映画館での提供に耐えうるものか否かを示す。すなわち、ウェブサイト用広告コンテンツが動画像等で構成されている場合に、かかる画質が映画館で提供可能な水準であるか否かを示す。図４の例では、映画館で提供可能な水準であるウェブサイト用広告コンテンツについては「Ｙ」が、提供可能でない場合には「Ｎ」が設定されることを示している。なお、ウェブサイト用広告コンテンツが動画像等で構成されていない場合や、配信許可の項目がＮである場合などには、画質条件の項目に情報が記載されなくてもよい。
【００４０】
すなわち、図４では、広告主ＩＤ「ＣＬ１１」によって識別される広告主が、広告コンテンツＩＤ「Ａ１１」で識別されるウェブサイト用広告コンテンツを入稿していることを示す。また、広告コンテンツＩＤ「Ａ１１」で識別されるウェブサイト用広告コンテンツは、広告タイプが「ビデオ広告」であり、配信時間が「３０秒」であり、宣伝ジャンルが「玩具」に関するものである。また、広告コンテンツＩＤ「Ａ１１」で識別されるウェブサイト用広告コンテンツは、映画館での提供に広告主ＣＬ１１が同意しており（配信許可「Ｙ」）、また映画館で提供可能な水準の画質を備える画像で構成されている（画質条件「Ｙ」）ことを示す。
【００４１】
〔３−４．映画館情報記憶部〕
映画館情報記憶部１２２は、映画館に関する情報を記憶する。映画館情報記憶部１２２は、情報を記憶するデータテーブルとして、広告枠テーブル１２２ａと、本編テーブル１２２ｂとを有する。以下、個々のテーブルについて説明する。
【００４２】
〔３−４（１）．広告枠テーブル〕
広告枠テーブル１２２ａは、広告枠に関する情報を記憶するデータテーブルである。具体的には、広告枠テーブル１２２ａは、広告枠が設けられる映画の編成に関する情報や、映画を上映する映画館の施設としての情報や、広告枠を購入している広告主に関する情報などを記憶する。
【００４３】
ここで、図５に、実施形態に係る広告枠テーブル１２２ａの一例を示す。図５は、実施形態に係る広告枠テーブル１２２ａの一例を示す図である。図５に示した例では、広告枠テーブル１２２ａは、「映画館」、「スクリーン」、「座席数」、「本編タイトル」、「配信日程」、「広告枠ＩＤ」、「配信時間」、「広告主ＩＤ」、「広告コンテンツＩＤ」、「宣伝ジャンル」といった項目を有する。
【００４４】
「映画館」は、映画館の名称を示す。また、図４に図示することは省略しているが、映画館の項目には、映画館の所在地の情報なども含むものとする。また、「スクリーン」は、映画館における、映画を投射できるスクリーンと観客席を備えた上映室を示す。図４において、映画館「ＴＨ１」におけるスクリーン「ＳＣ１」とスクリーン「ＳＣ２」は異なる上映室を示しており、上映される映画や座席数が異なることがある。
【００４５】
「座席数」は、上映場所に備えられた観客席の数であり、観客を収容することのできる数を示す。座席数はスクリーン毎に異なる場合がある。また、「本編タイトル」は、映画館で上映される映画のタイトルを示す。例えば、本編タイトル「Ｍ１」と本編タイトル「Ｍ２」とは異なる映画を示す。
【００４６】
「配信日程」は、広告枠で広告コンテンツが観客に提供される日時を示す。図５に示した例では、配信日程を広告提供の開始時刻として、広告枠順に、対応するスクリーンにて広告コンテンツが提供される。
【００４７】
「広告枠ＩＤ」は、広告枠を識別するための識別情報を示す。また、「配信時間」は、映画館で映画館用広告コンテンツを提供させる時間長を示す。図５の例では、配信時間の単位は秒とする。例えば、広告枠Ｃ１１１には、配信時間として「３０秒」が割り当てられていることを示す。
【００４８】
「広告主ＩＤ」は、広告主又は広告主端末１０を識別するための識別情報を示す。ここで、図５における広告主ＩＤは、広告枠と対応付けて記憶されている。すなわち、図５では、対応する広告枠で映画館用広告コンテンツを提供させる権利を購入した広告主を識別するための広告主ＩＤが記憶されている例を示している。同様に、図５における「広告コンテンツＩＤ」は、対応する広告枠で提供が予定されている広告コンテンツを識別するための識別情報を示している。また、図５における「宣伝ジャンル」は、対応する広告枠で提供が予定されている広告コンテンツが宣伝する内容について、いずれのジャンルに属するかの情報を示している。
【００４９】
すなわち、図５では、広告枠「Ｃ１１１」が、映画館「ＴＨ１」におけるスクリーン「ＳＣ１」で上映される本編タイトル「Ｍ１」である映画に設けられている例を示す。このとき、広告枠「Ｃ１１１」に係る広告コンテンツは、「２０１４年５月１０日９時００分００秒」から「３０秒」間だけ配信されることを示している。なお、広告枠「Ｃ１１１」で映画館用広告コンテンツを提供させる広告主が未だ決定されておらず、配信する映画館用広告コンテンツについても決定されていないことを示す。
【００５０】
〔３−４（２）．本編テーブル〕
本編テーブル１２２ｂは、映画館で上映される映画本編に関する情報を記憶するテーブルである。ここで、図６に、実施形態に係る本編テーブル１２２ｂの一例を示す。図６は、実施形態に係る本編テーブル１２２ｂの一例を示す図である。図６に示した例では、本編テーブル１２２ｂは、「本編タイトル」、「ジャンル」、「制作国」、「客層」、「その他」といった項目を有する。
【００５１】
「本編タイトル」は、映画館で上映される映画のタイトルを示す。また、「ジャンル」は、映画の内容を示す。ジャンルの項目には、例えば、「アクション」や「ドラマ」などの映画の内容を示す情報が記憶される。
【００５２】
「制作国」は、映画が制作された国名を示す。また、「客層」は、かかる映画がメインターゲットとする客層を示す。客層の項目には、例えば、年齢や性別などの情報が記憶される。
【００５３】
「その他」は、上記項目以外の映画本編に関する情報を示す。その他に含まれる情報としては、例えば、映画の出演者や、映画の制作者や、映画の監督の名前や、映画の配給会社などの情報である。その他、映画の人気度を表す指標として、映画に関する検索クエリ数や、かかる映画の公式ホームページへのアクセス数などが適宜記憶されてもよい。
【００５４】
すなわち、図６では、本編タイトル「Ｍ１」で示される映画は、ジャンルが「アクション」であり、「アメリカ」で制作され、メインターゲットの客層は「１０〜３０歳代、男性」であること示されている。
【００５５】
〔３−５．制御部〕
図３に戻って、制御部１３０について説明する。制御部１３０は、例えば、ＣＰＵ（Central  Processing  Unit）やＭＰＵ（Micro  Processing  Unit）等によって、広告装置１００内部の記憶装置に記憶されている各種プログラム（配信プログラムの一例に相当）がＲＡＭを作業領域として実行されることにより実現される。また、制御部１３０は、例えば、ＡＳＩＣ（Application  Specific  Integrated  Circuit）やＦＰＧＡ（Field  Programmable  Gate  Array）等の集積回路により実現される。
【００５６】
図３に示すように、制御部１３０は、入稿受付部１３１と、取得部１３２と、抽出部１３３と、配信部１３４と、算出部１３５とを有し、以下に説明する情報処理の機能や作用を実現または実行する。なお、制御部１３０の内部構成は、図３に示した構成に限られず、後述する情報処理を行う構成であれば他の構成であってもよい。また、制御部１３０が有する各処理部の接続関係は、図３に示した接続関係に限られず、他の接続関係であってもよい。
【００５７】
〔３−５（１）．入稿受付部〕
入稿受付部１３１は、広告コンテンツの入稿を受け付ける。具体的には、実施形態に係る入稿受付部１３１は、映画館以外の媒体に提供するための他のコンテンツの入稿を受け付ける。例えば、入稿受付部１３１は、ウェブサイトで提供するためのウェブサイト用広告コンテンツの入稿を広告主から受け付ける。そして、入稿受付部１３１は、かかるウェブサイト用広告コンテンツを広告コンテンツ記憶部１２１に記憶させる。
【００５８】
〔３−５（２）．取得部〕
取得部１３２は、映画館で映画とともに提供される映画館用広告コンテンツの枠に関する情報を取得する。具体的には、実施形態に係る取得部１３２は、映画館用広告コンテンツの枠である広告枠に関する情報として、広告枠の販売状況に関する情報を取得する。そして、取得部１３２は、かかる情報を映画館情報記憶部１２２内の対応するテーブルに記憶させる。
【００５９】
また、取得部１３２は、広告枠に関する情報として、広告枠の販売状況に関する情報のみならず、映画館で提供される映画の題名である本編タイトルや、映画が上映される上映場所であるスクリーンや、映画が上映される日程、及び、所定期間における映画の上映回数など映画の編成に係る情報などを取得する。なお、取得部１３２は、広告枠に関する情報として、映画館が所在する地域や、映画館の観客収容数や、映画館が備えるスクリーン数や、スクリーン毎の座席数など、施設としての映画館の情報について取得する。同様に、取得部１３２は、映画に関する情報として、例えば、映画の制作者や、映画の出演者や、映画が制作された国名などに関する情報について取得する。
【００６０】
また、取得部１３２は、広告枠に関する情報として、映画館における映画の上映日程の変更などの情報を映画館装置２０から速やかに取得する。この場合、取得部１３２は、かかる変更に基づいて映画館情報記憶部１２２に記憶された情報を更新する。
【００６１】
なお、取得部１３２は、映画の人気度の指標に関する情報を取得してもよい。具体的には、取得部１３２は、検索サービスを提供するウェブサーバから映画に関する検索クエリの数を取得する。すなわち、取得部１３２は、検索サービスを提供するウェブサーバにアクセスすることで、映画タイトルそのものや、映画に関係する制作者、出演者などの名称について検索クエリの数を取得する。なお、取得部１３２は、検索サービスを提供するウェブサーバに限られず、ネットワークＮ上の所定のウェブサーバから映画の人気度の指標に関する情報を取得してもよい。例えば、取得部１３２は、所定の映画の公式ホームページへのアクセス数などの情報を取得する。
【００６２】
また、取得部１３２は、広告枠に関する情報として、映画館における実績に関する情報を取得してもよい。すなわち、取得部１３２は、広告枠でウェブサイト用広告コンテンツが提供された場合、映画館の実際の観客の人数である動員数に関する情報を映画館（例えば、映画館装置２０）から取得する。取得部１３２は、取得した実際の動員数に関する情報を、映画館情報記憶部１２２内に適宜記憶する。
【００６３】
なお、映画館（例えば、映画館装置２０）は、チケットを販売する販売端末から得られる情報に基づいて、動員数を求めることができる。ただし、この例に限られず、映画館には、例えば、映画館に実際に来場した観客の情報を取得するための観客情報取得装置が設けられる。この観客情報取得装置は、例えば、カメラ、アクセスポイントなどの少なくとも一つ以上の機器に該当する。観客情報取得装置にカメラが含まれる場合には、このカメラは、例えば、映画館内を撮像する。これにより、映画館装置２０は、観客情報取得装置により撮像された画像から動員数を求めることができる。また、観客情報取得装置にアクセスポイントが含まれる場合には、このアクセスポイントは、Ｗｉｆｉ（Wireless  Fidelity）（登録商標）などの無線通信により、個々の観客が保持する携帯端末と通信する。これにより、映画館装置２０は、観客情報取得装置と通信された携帯端末の台数を計数することで動員数を求めることができる。
【００６４】
〔３−５（３）．抽出部〕
抽出部１３３は、取得部１３２が取得する広告枠に関する情報と映画館以外の媒体に提供するための他のコンテンツの属性とに基づいて、広告枠で提供される他のコンテンツを抽出する。具体的には、実施形態に係る抽出部１３３は、広告枠で提供する他のコンテンツとしてウェブサイト用広告コンテンツを抽出する。
【００６５】
まず、抽出部１３３は、広告コンテンツ記憶部１２１に記憶されているウェブサイト用広告コンテンツの属性に基づいて、映画館で提供させるウェブサイト用広告コンテンツを抽出する。具体的には、抽出部１３３は、広告コンテンツ記憶部１２１に記憶されているウェブサイト用広告コンテンツについて、配信許可が「Ｙ」であるウェブサイト用広告コンテンツを抽出する。すなわち、抽出部１３３は、広告主が映画館での提供に同意しているウェブサイト用広告コンテンツを抽出する。また、抽出部１３３は、画質条件が「Ｙ」であるウェブサイト用広告コンテンツを抽出する。すなわち、抽出部１３３は、ウェブサイト用広告コンテンツが画像で構成されている場合に、かかる画質が映画館で提供可能な水準であるウェブサイト用広告コンテンツを抽出する。
【００６６】
続いて、抽出部１３３は、広告枠に関する情報に基づいて、上記処理で抽出されたウェブサイト用広告コンテンツの中から、映画館に配信することに適したコンテンツをさらに抽出する。
【００６７】
例えば、抽出部１３３は、広告枠に関する情報として、広告枠が設けられる映画の本編タイトル、ジャンル、及び、出演者、又は、映画の制作者、監督、配給会社、及び、制作者の国籍の少なくとも１つに基づいて、映画館に配信するウェブサイト用広告コンテンツを抽出する。すなわち、抽出部１３３は、ウェブサイト用広告コンテンツと広告枠が設けられる映画本編との適合性に基づいて、抽出処理を行う。例えば、抽出部１３３は、ウェブサイト用広告コンテンツの宣伝内容が映画の内容や出演者と関連するものであるかなどに基づき、映画館で提供された場合に広告効果が高くなると想定されるウェブサイト用広告コンテンツを抽出する。
【００６８】
また、例えば、抽出部１３３は、広告枠に関する情報として、ウェブサイト用広告コンテンツが提供される枠の前後の枠において提供される映画館用広告コンテンツの内容、又は、広告主に関する情報に基づいて、映画館に配信するウェブサイト用広告コンテンツを抽出する。すなわち、抽出部１３３は、ウェブサイト用広告コンテンツと、配信予定の広告枠の前後の広告枠におけるコンテンツの内容又は広告主との適合性に基づいて、抽出処理を行う。例えば、抽出部１３３は、ウェブサイト用広告コンテンツの宣伝内容が前後の映画館用広告コンテンツの内容と関連するものであるかなどに基づき、映画館で提供された場合に広告効果が高くなると想定されるウェブサイト用広告コンテンツを抽出する。一方、抽出部１３３は、前後の映画館用広告コンテンツの内容や広告主との関係において、映画館での提供に適さないとされるものを抽出しない処理をしてもよい。例えば、抽出部１３３は、競合関係にある広告主に係るコンテンツが前後の広告枠で提供されないように抽出処理を行ってもよい。
【００６９】
また、例えば、抽出部１３３は、広告枠に関する情報として、広告枠に係る映画館の利用者の属性、又は、予測される動員数に基づいて、映画館に配信するウェブサイト用広告コンテンツを抽出する。すなわち、抽出部１３３は、広告枠が設けられる映画において想定される客層や動員数との適合性に基づいて、抽出処理を行う。例えば、抽出部１３３は、ウェブサイト用広告コンテンツの宣伝内容が想定される客層にマッチングしているか、また、広告主が希望する視聴人数に適するかなどに基づき、映画館で提供された場合に広告効果が高くなると想定されるウェブサイト用広告コンテンツを抽出する。
【００７０】
その他にも、抽出部１３３は、例えば、映画館が所在する地域や、検索クエリ数などの指標に基づいて、映画館に配信するウェブサイト用広告コンテンツを抽出してもよい。また、抽出部１３３は、上記のような抽出処理について適宜組み合わせてもよい。
【００７１】
〔３−５（４）．配信部〕
配信部１３４は、映画館以外の媒体に提供するための他のコンテンツを広告枠で提供される映画館用広告コンテンツとして映画館に配信する。具体的には、実施形態に係る配信部１３４は、取得部１３２によって取得された広告枠の販売状況に関する情報に基づいて、ウェブサイト用広告コンテンツを映画館に配信する。すなわち、配信部１３４は、広告枠の販売状況に関する情報に基づいて、購入者が決定されていない広告枠で提供される映画館用広告コンテンツとして、ウェブサイト用広告コンテンツを映画館に配信する。
【００７２】
なお、配信部１３４は、映画館からの、広告枠で映画館以外の媒体に提供するための他のコンテンツを提供させる旨の要望に応じて、ウェブサイト用広告コンテンツを映画館に配信する。すなわち、配信部１３４は、上述のような映画館からのリクエストに応じて、映画館以外の媒体に提供するための他のコンテンツのために開放された広告枠に対して、ウェブサイト用広告コンテンツを配信する。
【００７３】
また、配信部１３４は、ウェブサイト用広告コンテンツであって、広告枠で提供されることにかかるウェブサイト用広告コンテンツの広告主が同意したウェブサイト用広告コンテンツを映画館に配信する。すなわち、配信部１３４は、抽出部１３３が抽出するウェブサイト用広告コンテンツを映画館に配信する。言い換えれば、配信部１３４は、映画館で提供するのに適したウェブサイト用広告コンテンツを映画館に配信する。
【００７４】
〔３−５（５）．算出部〕
算出部１３５は、コンテンツの提供に関する料金を算出する。具体的には、実施形態に係る算出部１３５は、ウェブサイト向けに提供される広告コンテンツが広告枠で提供された時間、又は、視聴された人数に基づいて、ウェブサイト用広告コンテンツの提供料金を算出する。
【００７５】
一般に、ウェブサイト用広告コンテンツは、ウェブサイトに掲載された回数に基づいて提供料金が算出される。例えば、ウェブサイト用広告コンテンツには、ＣＰＭ（Cost  Per  Mille）が設定される。ＣＰＭとは、ウェブサイト用広告コンテンツがウェブサイトに１０００回掲載された場合の料金を示す。
【００７６】
算出部１３５は、ウェブサイト用広告コンテンツが映画館で提供された場合には、単にＣＰＭを用いることによっては課金額を算出することができない。そこで、算出部１３５は、ウェブサイト用広告コンテンツが広告枠で提供された時間、又は、視聴された人数に基づいて、ウェブサイト用広告コンテンツが所定の回数だけウェブサイトに掲載されたものとして、ウェブサイト用広告コンテンツの広告主への課金額を算出する。
【００７７】
一例としては、算出部１３５は、ウェブサイト用広告コンテンツが動画である場合、映画館で「０．１秒」提供された場合に、ウェブサイトでは「１回」掲載されたものとして計数する。そして、算出部１３５は、上記計数された数値と、実際に広告枠でウェブサイト用広告コンテンツが提供された際の動員数とを乗じる。通常、ウェブサイトを閲覧する人数は一人であることが想定されるため、ウェブサイトにおける掲載回数と視聴回数は同じものと考える。しかし、映画館のように、一度の掲載で多人数が視聴する場合には、掲載回数に人数を乗じた数値が視聴回数であると考えられる。なお、以下では、かかる視聴回数を「インプレッション数」と表記する場合がある。ここでは、ウェブサイトにおける掲載回数とインプレッション数とは等しい概念であるものとする。
【００７８】
そして、算出部１３５は、上記乗じた数値をウェブサイトでの掲載回数（すなわち、インプレッション数）として、上記のＣＰＭにあてはめて広告主への課金額を算出する。具体例として、所定のウェブサイト用広告コンテンツにＣＰＭとして「１０００円」が設定されており、かかるウェブサイト用広告コンテンツが、映画館で「１００人」に対して「３０秒」提供されたとする。この場合、算出部は、「３０秒」から導かれる「３００」と「１００人」とを乗じて、「３００００」というインプレッション数を計数する。すなわち、算出部１３５は、かかるウェブサイト用広告コンテンツがウェブサイトで３００００回掲載されたものとして、広告主への課金額を算出する。この例においては、算出部１３５は、かかるウェブサイト用広告コンテンツのＣＰＭ「１０００円」と「３００００」のインプレッション数とを用いて、広告主への課金額を「３００００円」と算出する。
【００７９】
そして、算出部１３５は、算出した情報について、広告コンテンツ記憶部１２１内に適宜記憶する。なお、算出部１３５は、広告主端末１０や映画館装置２０に算出した課金額を通知してもよい。
【００８０】
〔４．配信処理手順〕
次に、図７を用いて、実施形態に係る広告装置１００による配信処理の手順について説明する。図７は、実施形態に係る広告装置１００による配信処理の手順を示すフローチャートである。
【００８１】
図７に示すように、入稿受付部１３１は、広告主からウェブサイト向けの広告コンテンツの入稿を受け付ける（ステップＳ１０１）。そして、取得部１３２は、映画館から広告配信のリクエストを受信したか否かを判定する（ステップＳ１０２）。
【００８２】
そして、取得部１３２は、映画館からリクエストを受信しない場合には、受信するまで待機する（ステップＳ１０２；Ｎｏ）。映画館からリクエストを受信した場合（ステップＳ１０２；Ｙｅｓ）、取得部１３２は、映画館から広告枠の情報を取得する（ステップＳ１０３）。
【００８３】
そして、抽出部１３３は、映画館に配信可能なウェブサイト用広告コンテンツを抽出する（ステップＳ１０４）。そして、配信部１３４は、抽出部１３３により抽出されたウェブサイト用広告コンテンツを映画館に配信する（ステップＳ１０５）。
【００８４】
その後、算出部１３５は、映画館での広告配信に係る課金額を算出する（ステップＳ１０６）。以上により、実施形態に係る広告装置１００による配信処理は終了する。
【００８５】
〔５．変形例〕
上述した広告装置１００は、上記実施形態以外にも種々の異なる形態にて実施されてよい。そこで、以下では、広告装置１００の他の実施形態について説明する。
【００８６】
〔５−１．配信処理〕
上記の実施形態では、配信部１３４は、抽出部１３３が広告枠に関する情報とウェブサイト用広告コンテンツの属性とに基づいて抽出したウェブサイト用広告コンテンツを配信する例を示した。ここで、配信部１３４は、ウェブサイト用広告コンテンツのウェブサイトにおける掲載状況に基づいてウェブサイト用広告コンテンツを配信してもよい。この点について、図８を用いて以下に説明する。
【００８７】
図８は、変形例に係る広告コンテンツ記憶部１２１の一例を示す図である。なお、図４と対応する項目については、説明を省略する。図８に示した例において、変形例に係る広告コンテンツ記憶部１２１は、「指定インプレッション数」、「残りインプレッション数」、「ＣＰＭ」の項目を有する。
【００８８】
「指定インプレッション数」は、ウェブサイト用広告コンテンツがウェブサイトに掲載される回数であるインプレッション数について、広告主が指定した数値である。すなわち、広告主は、指定インプレッション数だけウェブサイトにおいて入稿したウェブサイト用広告コンテンツが掲載されることが保証される。
【００８９】
「残りインプレッション数」は、指定インプレッション数から実際に掲載された回数を差し引いた数値である。また、「ＣＰＭ」は、上述のように、１０００インプレッション数あたりに広告主に課金される金額である。ＣＰＭは、入稿時の指定インプレッション数によって異なる値が設定されることがある。
【００９０】
すなわち、図８の例では、広告主ＩＤ「ＣＬ３１」で識別される広告主が、広告コンテンツＩＤ「Ａ３１」で識別されるウェブサイト用広告コンテンツを入稿していることを示す。また、広告主ＩＤ「ＣＬ３１」で識別される広告主は、入稿に際し、インプレッション数を「１００万回」と指定し、残りのインプレッション数は「３０万回」である。また、広告コンテンツＩＤ「Ａ３１」で識別されるウェブサイト用広告コンテンツに設定されているＣＰＭは「１０００円」であることを示す。
【００９１】
ここでは、抽出部１３３により、図８に示す広告コンテンツＩＤ「Ａ３１」、「Ａ３２」、「Ａ３３」で識別されるウェブサイト用広告コンテンツが、映画館で提供されるウェブサイト用広告コンテンツとして抽出されたものとする。この場合、配信部１３４は、ウェブサイトにおける掲載状況に基づいて、映画館にウェブサイト用広告コンテンツを配信してもよい。
【００９２】
例えば、配信部１３４は、残りインプレッション数が多いウェブサイト用広告コンテンツを優先的に映画館に配信してもよい。これにより、広告装置１００は、ウェブサイトへの掲載のみでは減少しにくいウェブサイト用広告コンテンツに係る残りインプレッション数を減らすことができるので、早期に指定インプレッション数分の掲載を達成することができる。
【００９３】
あるいは、配信部１３４は、ＣＰＭの高いウェブサイト用広告コンテンツから優先的に映画館に配信してもよい。すなわち、広告装置１００は、収益率の高いウェブサイト用広告コンテンツを優先的に配信する。図８の例では、広告コンテンツＩＤ「Ａ３３」で識別されるウェブサイト用広告コンテンツを優先的に配信する。これにより、広告装置１００は、高い広告収益を得ることができる。
【００９４】
〔５−２．管理装置〕
また、上記の実施形態では、取得部１３２は、映画館装置２０から広告枠に関する情報を取得する例を示した。また、配信部１３４は、映画館装置２０に広告コンテンツを配信する例を示した。しかし、例えば、広告装置１００が複数の映画館に対して広告配信に関する処理をする場合、それぞれの映画館と個別に処理を行うことは負担が大きい。そこで、広告装置１００は、映画館装置２０とではなく、例えば、複数の映画館を管理する映画館管理装置５０に対して、同様の処理を行うことができる。この点について図９を用いて説明する。なお、以下では、複数の映画館装置２０について、映画館装置２０１、２０２及び２０３として表記する。
【００９５】
図９は、変形例に係る配信処理システム１の構成例を示す図である。なお、図２と対応する構成については、説明を省略する。図９に示すように、配信処理システム１には、映画館管理装置５０と、映画館管理装置５０が管理する映画館装置２０１、２０２及び２０３が含まれる。なお、図示は省略するが、映画館管理装置５０は、さらに多くの映画館装置２０ｎ（ｎは任意の数）を管理していてもよい。
【００９６】
図９に示した例では、広告装置１００は、上述した実施形態に係る配信処理において映画館装置２０１に対して行う手続きを映画館管理装置５０に対して行う。広告装置１００は、例えば、映画館装置２０１を備える映画館の広告枠に関する情報を映画館管理装置５０から取得する。なお、映画館管理装置５０は、かかる情報について予め映画館装置２０１から提供を受けているものとする。このように、広告装置１００は、一連の処理を映画館管理装置５０に対して行うことによっても、上述した実施形態と同様に、ウェブサイト用広告コンテンツの配信処理をすることができる。
【００９７】
この場合、実施形態に係る処理に比べ、広告装置１００による処理を簡略化できる場合がある。具体的には、上述した実施形態に係る処理において、広告装置１００が複数の映画館における広告枠に関する情報を取得するためには、複数の映画館装置２０１、２０２及び２０３からそれぞれ情報を取得する必要がある。また、広告装置１００は、それぞれ対応する複数の映画館装置２０１、２０２及び２０３に広告コンテンツを配信する必要がある。
【００９８】
一方、上記変形例に係る配信処理において、広告装置１００は、映画館管理装置５０との間で処理を行うことにより、複数の映画館装置２０１、２０２及び２０３に対して処理を行うことと同様の結果を得る。すなわち、実施形態に係る各処理に比べ、変形例に係る広告装置１００は、一連の処理手順を減らすことができるため、各処理を簡略化できる。
【００９９】
なお、映画館管理装置５０は、例えば、施設である映画館側（配給会社など）によって管理される。この場合、「施設」や「映画館」といった表記は、このような映画館管理装置５０を含む概念であるものとする。
【０１００】
〔５−３．広告枠の態様〕
また、上記の実施形態では、広告枠が単位時間あたりに分割され、数量によって表される例を示した。しかし、広告枠は、時間で表されてもよい。例えば、広告枠は「５分間」などの態様で設けられてもよい。この場合、広告装置１００は、広告枠の時間を適宜分割して取り扱うことができる。また、広告装置１００は、映画館から広告枠の順番に係る情報を受け付けてもよい。この場合、広告装置１００は、コンテンツが提供される順番についても調整してウェブサイト用広告コンテンツを抽出することができる。
【０１０１】
〔５−４．広告枠の状況〕
また、上記の実施形態では、映画館は、所定の時点で広告枠が売れ残った場合、すなわち空き広告枠がある場合に広告装置１００にリクエストを送信し、広告装置１００は空き広告枠でコンテンツを提供させるためにウェブサイト用広告コンテンツを映画館に配信する例を示した。しかし、映画館は、所定の時点の前にリクエストを送信してもよい。すなわち、広告装置１００は、空き広告枠のみにウェブサイト用広告コンテンツを映画館に配信することに限られず、通常販売されている広告枠を対象として映画館にウェブサイト用広告コンテンツを配信してもよい。
【０１０２】
〔５−５．広告枠の位置〕
また、上記の実施形態では、広告枠が映画の本編前に組み込まれる例を示した。言い換えれば、上記の実施形態では、広告コンテンツが映画の本編前に提供される例を示した。しかし、広告コンテンツが提供されるタイミングは上記例に限られない。すなわち、広告コンテンツが映画とともに提供されるとは、映画の本編中に上映されてもよいし、映画の本編後に上映されてもよいことを意味する。また、広告コンテンツには、本編である映画にオーバーレイのように重ねて提供されるようなものも含まれるものとする。
【０１０３】
〔５−６．販売価格〕
上記の実施形態では、算出部１３５が、ウェブサイト向けに提供される広告コンテンツが広告枠で提供された時間、又は、視聴された人数に基づいて、ウェブサイト用広告コンテンツの提供料金を算出する例を示した。
【０１０４】
しかし、算出部１３５は、常に上記の算出処理をすることを要しない。例えば、広告装置１００は、予めウェブサイト用広告コンテンツの提供に係る課金額を定めておき、かかる課金額により広告主に課金してもよい。
【０１０５】
〔５−７．コンテンツの例〕
また、上記の実施形態では、施設で提供される第１コンテンツとして映画を、第１コンテンツとともに提供される第２コンテンツが映画館用広告コンテンツである例を示した。しかし、この例に限られず、各コンテンツは様々な態様があってもよい。例えば、第１コンテンツとしては、演劇、コンサートなど、観客を動員して行われる様々な催事が含まれてもよい。また、第２コンテンツとしては、個人クリエイタによって制作されたショートフィルムなどが含まれてもよい。
【０１０６】
また、上記の実施形態では、映画館以外の媒体に提供するための他のコンテンツとして、ウェブサイト用広告コンテンツを例として示した。しかし、この例に限られず、他のコンテンツは様々な態様があってもよい。例えば、他のコンテンツは、街頭に表示される電子看板用の広告コンテンツなどであってもよい。
【０１０７】
〔５−８．広告配信〕
上記の実施形態では、配信部１３４が、広告コンテンツ記憶部１２１に記憶されたウェブサイト用広告コンテンツを映画館装置２０に配信する例を示した。しかし、上記例に限られず、広告装置１００は、配信に係る処理について、外部の装置を利用して行ってもよい。例えば、広告装置１００は、ネットワークＮ上に存在し、広告主端末１０や、映画館装置２０と通信可能なサーバである広告配信装置に配信処理を行わせてもよい。
【０１０８】
この場合、かかる広告配信装置は、広告装置１００の制御に従い、広告主端末１０からウェブサイト用広告コンテンツの入稿を受け付けたり、ウェブサイト用広告コンテンツを記憶したりする。そして、広告装置１００に係る配信部１３４は、広告コンテンツ記憶部１２１に記憶された広告コンテンツＩＤに基づいて、広告配信装置に記憶されたウェブサイト用広告コンテンツを特定する。そして、広告装置１００に係る配信部１３４は、広告配信装置に対して、特定されたウェブサイト用広告コンテンツを映画館装置２０に対して配信するよう制御する。
【０１０９】
〔６．その他〕
また、上記実施形態において説明した各処理のうち、自動的に行われるものとして説明した処理の全部または一部を手動的に行うこともでき、あるいは、手動的に行われるものとして説明した処理の全部または一部を公知の方法で自動的に行うこともできる。この他、上記文書中や図面中で示した処理手順、具体的名称、各種のデータやパラメータを含む情報については、特記する場合を除いて任意に変更することができる。例えば、各図に示した各種情報は、図示した情報に限られない。
【０１１０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。
【０１１１】
例えば、図３に示した広告コンテンツ記憶部１２１や映画館情報記憶部１２２が記憶する情報は、広告装置１００が保持せずに、図示しないストレージサーバ等が保持してもよい。この場合、広告装置１００は、映画館テーブル１２１等の各データテーブルに記憶されている情報を適宜取得するものとする。
【０１１２】
また、上記実施形態においては、映画館は動員数を取得するため観客情報取得装置を備える例を示した。しかし、映画館は、さらに別の装置を備えてもよい。例えば、映画館は、映画館で広告が上映されたことを示す情報を取得する装置を備える。具体的には、映画館には、実際に映画館で広告が流れている音声を集音する集音装置が設けられる。広告装置１００は、例えば、映画館装置２０から、かかる集音された音声データを受け付け、広告主に情報として提示することができる。これにより、広告装置１００は、実際に映画館で広告が上映されたか確認したいという広告主の要望に応えることができる。
【０１１３】
また、上記実施形態においては、第１コンテンツを提供する施設として映画館を挙げ、当該施設の利用料としてチケット料金を例示した。しかし、上述のように、第１コンテンツとしては、演劇、コンサートなど、観客を動員して行われる様々な催事が含まれてもよい。この場合、第１コンテンツを提供する施設としては、劇場や、演舞場や、屋外遊戯施設など、観客を収容できる、あるいは観客が入場することのできる種々の施設が該当する。
【０１１４】
また、上述してきた各実施形態は、処理内容を矛盾させない範囲で適宜組み合わせることが可能である。
【０１１５】
〔７．ハードウェア構成〕
また、上述してきた実施形態に係る広告装置１００は、例えば図１０に示すような構成のコンピュータ１０００によって実現される。以下、広告装置１００を例に挙げて説明する。図１０は、広告装置１００の機能を実現するコンピュータ１０００の一例を示すハードウェア構成図である。コンピュータ１０００は、ＣＰＵ１１００、ＲＡＭ１２００、ＲＯＭ１３００、ＨＤＤ１４００、通信インターフェイス（Ｉ／Ｆ）１５００、入出力インターフェイス（Ｉ／Ｆ）１６００、及びメディアインターフェイス（Ｉ／Ｆ）１７００を有する。
【０１１６】
ＣＰＵ１１００は、ＲＯＭ１３００又はＨＤＤ１４００に記憶されたプログラムに基づいて動作し、各部の制御を行う。ＲＯＭ１３００は、コンピュータ１０００の起動時にＣＰＵ１１００によって実行されるブートプログラムや、コンピュータ１０００のハードウェアに依存するプログラム等を記憶する。
【０１１７】
ＨＤＤ１４００は、ＣＰＵ１１００によって実行されるプログラム、及び、かかるプログラムによって使用されるデータ等を記憶する。通信インターフェイス１５００は、通信網５００（図２に示したネットワークＮに対応する）を介して他の機器からデータを受信してＣＰＵ１１００へ送り、また、通信網５００を介してＣＰＵ１１００が生成したデータを他の機器へ送信する。
【０１１８】
ＣＰＵ１１００は、入出力インターフェイス１６００を介して、ディスプレイやプリンタ等の出力装置、及び、キーボードやマウス等の入力装置を制御する。ＣＰＵ１１００は、入出力インターフェイス１６００を介して、入力装置からデータを取得する。また、ＣＰＵ１１００は、入出力インターフェイス１６００を介して生成したデータを出力装置へ出力する。
【０１１９】
メディアインターフェイス１７００は、記録媒体１８００に記憶されたプログラム又はデータを読み取り、ＲＡＭ１２００を介してＣＰＵ１１００に提供する。ＣＰＵ１１００は、かかるプログラムを、メディアインターフェイス１７００を介して記録媒体１８００からＲＡＭ１２００上にロードし、ロードしたプログラムを実行する。記録媒体１８００は、例えばＤＶＤ（Digital  Versatile  Disc）、ＰＤ（Phase  change  rewritable  Disk）等の光学記録媒体、ＭＯ（Magneto-Optical  disk）等の光磁気記録媒体、テープ媒体、磁気記録媒体、または半導体メモリ等である。
【０１２０】
例えば、コンピュータ１０００が実施形態に係る広告装置１００として機能する場合、コンピュータ１０００のＣＰＵ１１００は、ＲＡＭ１２００上にロードされたプログラムを実行することにより、制御部１３０の機能を実現する。また、ＨＤＤ１４００には、広告コンテンツ記憶部１２１や、映画館情報記憶部１２２内のデータが記憶される。コンピュータ１０００のＣＰＵ１１００は、これらのプログラムを記録媒体１８００から読み取って実行するが、他の例として、他の装置から通信網５００を介してこれらのプログラムを取得してもよい。
【０１２１】
〔８．効果〕
上述してきたように、実施形態に係る広告装置１００は、映画（第１コンテンツの一例）を提供する映画館（施設の一例）で映画とともに提供される映画用広告コンテンツ（第２コンテンツの一例）の広告枠に関する情報を取得する取得部１３２と、映画館以外の媒体に提供するための他のコンテンツを広告枠で提供される映画用広告コンテンツとして映画館に配信する配信部１３４とを有する。
【０１２２】
これにより、実施形態に係る広告装置１００は、配給側の広告配信に関する手続きを容易にすることができる。すなわち、実施形態に係る広告装置１００によれば、映画館側は、特段の手間を要することなく、ウェブサイト用広告コンテンツを映画館で提供させることができる。
【０１２３】
また、取得部１３２は、広告枠に関する情報として、広告枠の販売状況に関する情報を取得する。配信部１３４は、取得部１３２によって取得された販売状況に関する情報に基づいて他のコンテンツを映画館に配信する。
【０１２４】
すなわち、実施形態に係る広告装置１００は、映画館における広告枠の販売状況を把握して他のコンテンツを映画館に配信する。これにより、実施形態に係る広告装置１００は、映画館側の状況に沿う配信をすることができる。
【０１２５】
また、配信部１３４は、販売状況に関する情報に基づいて、購入者が決定されていない枠で提供される映画館用広告コンテンツとして他のコンテンツを映画館に配信する。
【０１２６】
これにより、実施形態に係る広告装置１００は、広告主が決定していない広告枠において、ウェブサイト用広告コンテンツを映画館で提供させることができる。このため、実施形態に係る広告装置１００によれば、空き広告枠が生じにくくなるので、映画館側は広告収益を得る機会を増大させることができるようになる。
【０１２７】
また、配信部１３４は、映画館からの広告枠で他のコンテンツを提供させる旨の要望に応じて、他のコンテンツを映画館に配信する。
【０１２８】
すなわち、実施形態に係る広告装置１００は、映画館からのリクエストに応じて他のコンテンツを映画館に配信する。これにより、実施形態に係る広告装置１００は、映画館側の要望に沿った他のコンテンツの配信をすることができる。
【０１２９】
また、配信部１３４は、映画館以外の媒体であるウェブサイト向けに提供される他のコンテンツを配信する。
【０１３０】
これにより、実施形態に係る広告装置１００は、ウェブサイト向けに提供される広告コンテンツを、映画館で配信する機会を得る。このため、実施形態に係る広告装置１００によれば、広告主は広告コンテンツをウェブサイトに限らず配信できるので、宣伝範囲を拡げることができる。
【０１３１】
また、配信部１３４は、ウェブサイト向けに提供される他のコンテンツのウェブサイトにおける掲載状況に基づいて、他のコンテンツを配信する。
【０１３２】
これにより、実施形態に係る広告装置１００は、ウェブサイトにおいて評判の良いウェブサイト用広告コンテンツを優先して映画館に配信することや、広告主から指定されたインプレッション数の多いウェブサイト用広告コンテンツを優先して映画館に配信することができる。
【０１３３】
また、実施形態に係る広告装置１００は、ウェブサイト向けに提供される他のコンテンツが広告枠で提供された時間、又は、視聴された人数に基づいて、当該他のコンテンツの提供料金を算出する算出部１３５をさらに備える。
【０１３４】
これにより、実施形態に係る広告装置１００は、ウェブサイト用広告コンテンツが他の媒体である映画館に配信される場合であっても、適切な広告料金を算出することができる。
【０１３５】
また、算出部１３５は、ウェブサイト向けに提供される他のコンテンツが広告枠で提供された時間、又は、視聴された人数に基づいて、当該他のコンテンツが所定の回数だけウェブサイトに掲載されたものとして、他のコンテンツの提供料金を算出する。
【０１３６】
これにより、実施形態に係る広告装置１００は、ウェブサイト用広告コンテンツが他の媒体である映画館に配信される場合であっても、ウェブサイトにおけるインプレッション数に基づいて、適切な広告料金を算出することができる。
【０１３７】
また、配信部１３４は、他のコンテンツであって、広告枠で提供されることに当該他のコンテンツの広告主が同意した他のコンテンツを映画館に配信する。
【０１３８】
これにより、実施形態に係る広告装置１００は、他のコンテンツの広告主の意向に沿った映画館での広告配信をすることができる。
【０１３９】
また、実施形態に係る広告装置１００は、取得部１３２が取得する広告枠に関する情報と他のコンテンツの属性とに基づいて、広告枠で提供される他のコンテンツを抽出する抽出部１３３をさらに備える。また、配信部１３４は、抽出部１３３が抽出する他のコンテンツを映画館に配信する。
【０１４０】
これにより、実施形態に係る広告装置１００は、映画館で提供させるコンテンツとして適切な他のコンテンツを抽出し、かかる他のコンテンツを映画館に配信する。このため、実施形態に係る広告装置１００は、より広告効果の高い他のコンテンツを映画館で提供させることや、広告主側及び映画館側の意向に沿った他のコンテンツを映画館で提供させることができる。
【０１４１】
また、抽出部１３３は、広告枠に関する情報として、広告枠に係る映画のタイトル、ジャンル、及び、出演者、又は、映画の制作者、監督、配給会社、及び、制作者の国籍の少なくとも１つに基づいて、他のコンテンツを抽出する。
【０１４２】
このように、実施形態に係る広告装置１００は、映画自体に関する複数の指標を用いて、適切な他のコンテンツを抽出する。このため、実施形態に係る広告装置１００は、高い精度で適切な他のコンテンツを抽出し、映画館に配信することができる。
【０１４３】
また、抽出部１３３は、広告枠に関する情報として、他のコンテンツが提供される広告枠の前後の広告枠において提供される映画館用コンテンツの内容、又は、広告主に関する情報に基づいて、他のコンテンツを抽出する。
【０１４４】
このように、実施形態に係る広告装置１００は、前後の広告枠に関する情報についても指標として、適切な他のコンテンツを抽出する。このため、実施形態に係る広告装置１００は、高い精度で適切な他のコンテンツを抽出し、映画館に配信することができる。
【０１４５】
また、抽出部１３３は、広告枠に関する情報として、広告枠に係る映画館の利用者の属性、又は、予測される動員数に基づいて、他のコンテンツを抽出する。
【０１４６】
このように、実施形態に係る広告装置１００は、映画館の観客に関する情報についても指標として、適切な他のコンテンツを抽出する。このため、実施形態に係る広告装置１００は、観客の属性等に応じてターゲティングのなされた他のコンテンツを映画館に配信することができる。
【０１４７】
また、抽出部１３３は、他のコンテンツが画像で構成されている場合に、他のコンテンツの画質が映画館で提供可能な水準である当該他のコンテンツを抽出する。
【０１４８】
このように、実施形態に係る広告装置１００は、他のコンテンツの属性に関する情報についても指標として、適切な他のコンテンツを抽出する。このため、実施形態に係る広告装置１００は、映画館のスクリーンなどで上映されることに適しない他のコンテンツを排除し、適切なコンテンツを抽出して映画館に配信することができる。
【０１４９】
以上、本願の実施形態のいくつかを図面に基づいて詳細に説明したが、これらは例示であり、発明の開示の欄に記載の態様を始めとして、当業者の知識に基づいて種々の変形、改良を施した他の形態で本発明を実施することが可能である。
【０１５０】
また、上述してきた「部（section、module、unit）」は、「手段」や「回路」などに読み替えることができる。例えば、取得部１３２は、取得手段や取得回路に読み替えることができる。
【符号の説明】
【０１５１】
１  配信処理システム
１０  広告主端末
２０  映画館装置
１００  広告装置
１３１  入稿受付部
１３２  取得部
１３３  抽出部
１３４  配信部
１３５  算出部
【図１】
2015220511.tif 000003
【図２】
2015220511.tif 000004
【図３】
2015220511.tif 000005
【図４】
2015220511.tif 000006
【図５】
2015220511.tif 000007
【図６】
2015220511.tif 000008
【図７】
2015220511.tif 000009
【図８】
2015220511.tif 000010
【図９】
2015220511.tif 000011
【図１０】
2015220511.tif 000012